(57)【要約】【課題】ピッキング用具による不正解錠に要する時間を長くとらせることによって防犯性能を高めたダブルロック機構付きの扉用ロックハンドル装置を提供する。【解決手段】引き出し回転操作型の扉用ロックハンドル装置Ａにメインロック装置Ｂとサブロック装置Ｃを併設する。メインロック装置Ｂのメインカム板１８には、扉用ロックハンドル装置Ａの切換え設定部材２５を解錠位置へ駆進または施錠位置へ牽引するリンク部材２１を枢着する。メインカム板１８の側面部に第１角部３０と第２角部３１を設ける。サブロック装置Ｃのサブカム板２８の側面部には、第１角部３０に当接可能な停止部３２と第２角部３１に当接可能な制止部３３を設け、これらの中間部に第２角部３１が当接可能な受動部３４を設ける。【選択図】図２
2006045924.tif 000002
【特許請求の範囲】
【請求項１】
操作ハンドル９を本体ケース３の正面凹部５から引き出し回転させたとき、操作ハンドル９と連動関係にある施錠レバー１３が回動して、固定枠体５６に対する扉１の施錠を解除するものであり、かつ、操作ハンドル９と施錠レバー１３間の連動関係を成立または遮断させる切換え設定部材２５を備えている引き出し回転操作型の扉用ロックハンドル装置Ａと、操作ハンドル９の引き出し操作を無力化するために扉用ロックハンドル装置Ａに併設されたメインロック装置Ｂ及びサブロック装置Ｃとからなり、
前記メインロック装置Ｂは、固定外筒１９に対してメインカム板１８を回転可能に支持させ、内部錠機構によって固定外筒１９に対して錠止される回転内筒１７を固定外筒１９に収容し、前記切換え設定部材２５を解錠位置へ駆進または施錠位置へ牽引するためのリンク部材２１が、枢軸４７によってメインカム板１８に枢着してあり、サブロック装置Ｃに対面するメインカム板１８の側面部には、前記枢軸４７側の端部に第１角部３０を設け、前記枢軸４７とは反対側の端部に第２角部３１を設けてあり、
前記サブロック装置Ｃは、固定外筒２９に対してサブカム板２８を回転可能に支持させ、内部錠機構によって固定外筒２９に対して錠止される回転内筒２７を固定外筒２９に収容し、メインロック装置Ｂに対面するサブカム板２８の側面部には、メインカム板１８の前記第１角部３０に当接可能な停止部３２を一方の端部に設け、前記第２角部３１に当接可能な制止部３３を他方の端部に設け、前記第２角部３１が当接可能な受動部３４を中間部に設けてあることを特徴とするダブルロック機構付き扉用ロックハンドル装置。
【発明の詳細な説明】
【技術分野】
【０００１】
本発明は、各種収納庫等において扉の開閉操作と固定枠体に対する扉の施錠に使用される引き出し回転操作型の扉用ロックハンドル装置に関するものである。
【背景技術】
【０００２】
従来の引き出し回転操作型の扉用ロックハンドル装置では、本体ケースが扉の正面開口部に埋め込み固着され、操作ハンドルの握り部が本体ケースの正面凹部内に収納され、操作ハンドルの脚部が本体ケースの背面側に突出しており、本体ケースの背面壁部に施錠レバーが枢着され、施錠レバーの端部に施錠用コネクタロッドが連結されており、枢軸を中心に操作ハンドルを正面凹部から引き出し回転したとき、施錠レバーを解錠方向に回転させる駆動機構が、操作ハンドルの脚部と施錠レバーの間に直結して装備され、本体ケースに埋め込み固着された錠前ユニットが、前記駆動機構の動きを直接規制するようになっている（例えば特許文献１参照）。
【０００３】
そのため、操作ハンドルの握り部が本体ケースの正面凹部に没入しており、錠前ユニットが施錠状態にある場合において、誤操作によって操作ハンドルを本体ケースから無理やりに引き出そうとするとき、操作ハンドルからの駆動力によって錠前ユニットその他の内部機構に過大な負荷が加えられ、これらが機械的な破壊や損傷を受けることになる。
【０００４】
この問題を解決するために、施錠状態において操作ハンドルの握り部を本体ケースの正面凹部から誤って引き出しても、錠前ユニットその他の内部機構が破壊や損傷を受けることがないとともに、錠前ユニットその他の内部機構の復帰動作が操作ハンドルの動きに追随して自動的になされるものが提案されている（特許文献２参照）。
【０００５】
しかしながら、従来のいずれの引き出し回転操作型の扉用ロックハンドル装置においても、操作ハンドルの引き出し操作の規制に関与する錠前ユニットは、本体ケースに組み込まれている１個だけであるため、ピッキング用具による不正解錠が比較的短時間になされてしまい、防犯対策の面からは脆弱性が残されていた。
【０００６】
【特許文献１】特許第３１４３６０３号公報
【特許文献２】特許第３４２１６５１号公報
【発明の開示】
【発明が解決しようとする課題】
【０００７】
本発明の課題は、ピッキング用具による不正解錠に要する時間を長くとらせることによって防犯性能を高めたダブルロック機構付きの扉用ロックハンドル装置を提供することである。
【課題を解決するための手段】
【０００８】
添付図面中の参照符号を用いて説明すると、本発明の主たる特徴は、操作ハンドル９を本体ケース３の正面凹部５から引き出し回転させたとき、操作ハンドル９と連動関係にある施錠レバー１３が回動して、固定枠体５６に対する扉１の施錠を解除するものであり、かつ、操作ハンドル９と施錠レバー１３間の連動関係を成立または遮断させる切換え設定部材２５を備えている引き出し回転操作型の扉用ロックハンドル装置Ａと、操作ハンドル９の引き出し操作を無力化するために扉用ロックハンドル装置Ａに併設されたメインロック装置Ｂ及びサブロック装置Ｃとからなり、
前記メインロック装置Ｂは、固定外筒１９に対してメインカム板１８を回転可能に支持させ、内部錠機構によって固定外筒１９に対して錠止される回転内筒１７を固定外筒１９に収容し、前記切換え設定部材２５を解錠位置へ駆進または施錠位置へ牽引するためのリンク部材２１が、枢軸４７によってメインカム板１８に枢着してあり、サブロック装置Ｃに対面するメインカム板１８の側面部には、前記枢軸４７側の端部に第１角部３０を設け、前記枢軸４７とは反対側の端部に第２角部３１を設けてあり、
前記サブロック装置Ｃは、固定外筒２９に対してサブカム板２８を回転可能に支持させ、内部錠機構によって固定外筒２９に対して錠止される回転内筒２７を固定外筒２９に収容し、メインロック装置Ｂに対面するサブカム板２８の側面部には、メインカム板１８の前記第１角部３０に当接可能な停止部３２を一方の端部に設け、前記第２角部３１に当接可能な制止部３３を他方の端部に設け、前記第２角部３１が当接可能な受動部３４を中間部に設けてあることである。
【発明の効果】
【０００９】
図１、図２及び図３の（ａ）に示したように扉１が固定枠体５６に施錠された状態にあるときには、メインロック装置Ｂとサブロック装置Ｃはいずれも施錠位置にあって、サブカム板２８の停止部３２はメインカム板１８の第１角部３０から離反し、サブカム板２８の制止部３３はメインカム板１８の第２角部３１に当接した位置にある。この施錠状態では、前記切換え設定部材２５は操作ハンドル９と施錠レバー１３間の連動関係を遮断しており、操作ハンドル９を本体ケース３の正面凹部５から引き出し操作しても、施錠レバー１３には駆動力が伝達されない。すなわち、操作ハンドル９の引き出し操作は無力化されている。
サブカム板２８の制止部３３がメインカム板１８の第２角部３１に当接しているため、サブロック装置Ｃを無視してメインロック装置Ｂを先に解錠方向（図３における時計回り方向）に回すような動きは確実に阻止される。
【００１０】
次に所定の鍵（図示していない）をサブロック装置Ｃの回転内筒２７の鍵孔に挿入して、内部錠機構による固定外筒２９に対する回転内筒２７の錠止を解除する。この解錠操作の後、当該鍵によって回転内筒２７を解錠方向（図３における時計回り方向）に回し、サブカム板２８を同方向に追随回転させると、図３の（ｂ）に示したように、サブカム板２８の制止部３３が施錠位置にあるメインカム板１８の第２角部３１から離反する一方、サブカム板２８の停止部３２がメインカム板１８の第１角部３０に当接し、これによってメインロック装置Ｂは解錠操作を行なえる状態にセットされる。
【００１１】
そこで、所定の鍵（図示していない）をメインロック装置Ｂの回転内筒１７の鍵孔に挿入して、内部錠機構による固定外筒１９に対する回転内筒１７の錠止を解除する。この解錠操作の後、当該鍵によって回転内筒１７を前記解錠方向に回し、メインカム板１８を同方向に追随回転させると、回転途中からメインカム板１８の第２角部３１がサブカム板２８の受動部３４を押圧し、図３の（ｃ）に示したように、サブカム板２８を施錠方向（図３における反時計回り方向）に蹴飛ばし回転させる。
メインカム板１８に連結された前記リンク部材２１が解錠方向（図２の斜め右方向）に駆進させられ、前記切換え設定部材２５が操作ハンドル９と施錠レバー１３間の連動関係を成立させる位置まで移動した段階では、サブカム板２８は施錠位置手前まで回転している。この段階では、サブカム板２８の停止部３２は解錠位置にあるメインカム板１８の第１角部３０から離反し、サブカム板２８の制止部３３はメインカム板１８の第２角部３１から離反した位置に来ている。
【００１２】
この状態において操作ハンドル９以降の連動機構は有効化されており、操作ハンドル９を本体ケース３の正面凹部５から引き出すと、施錠レバー１３が確実に解錠方向（図２における時計回り方向）に回転させられ、施錠レバー１３に接続されたラッチ装置等の解錠方向に駆動させられる。そのため、扉１は操作ハンドル９を更に手前に引くことによって開放させられる。
【００１３】
荷物の出し入れや機器点検等の所要の作業を終了した後、扉１を閉鎖すると、前記ラッチ装置等が作動し、扉１が固定枠体５６に対して錠止される。その後、図３の（ｄ）に示したようにメインカム板１８を施錠方向（図３における反時計回り方向）に戻し回転させると、前記リンク部材２１が施錠方向（図２の斜め左方向）に牽引される。前記切換え設定部材２５が操作ハンドル９と施錠レバー１３間の連動関係を遮断させる位置まで移動した段階では、サブカム板２８はバネの作用によって施錠位置まで完全に回転しており、サブカム板２８の停止部３２はメインカム板１８の第１角部３０から離反し、サブカム板２８の制止部３３はメインカム板１８の第２角部３１に当接している。
【００１４】
以上のように引き出し操作型の扉用ロックハンドル装置Ａには２個のメインロック装置Ｂとサブロック装置Ｃが併設されており、固定枠体５６に対する扉１の施錠を解除するためには、サブロック装置Ｃとメインロック装置Ｂを前記所定の順番で解錠し、かつ回転操作しなければならないから、ピッキング用具による不正解錠に要する時間が多くかかることになり、その分だけ防犯性能を向上させることができる。
【発明を実施するための最良の形態】
【００１５】
扉用ロックハンドル装置Ａ，メインロック装置Ｂ，サブロック装置Ｃの各構成部品を金属材料やエンジニアリングプラスチックで製作すれば、盗犯者による打撃や捩じ曲げなどの攻撃に対して強固になる。
【実施例】
【００１６】
図示の実施例では、引き出し回転操作型の扉用ロックハンドル装置Ａは、扉１に固着される本体ケース３と；握り部４が本体ケース３の正面凹部５内に収納され、一対の脚部６,７が本体ケース３の背面側に突出しており、枢軸８を中心に正面凹部５から出没回転する操作ハンドル９と；本体ケース３の背面壁部１０に枢軸１１によって枢着され、端部に扉施錠用部材１２が連結される施錠レバー１３と；基端部が前記枢軸１１によって本体ケース３の背面壁部１０に枢着され、先端部が操作ハンドル９の一方の脚部６の駆動アーム部１４に係合しており、中間部にガイドスロット１５を設けたコントロールレバー１６と；中間部が枢軸２０によって本体ケース３の背面壁部１０に枢着され、一方の端部にリンク部材２１が枢軸４８によって枢着された中間レバー２２と；基端部が枢軸４９によって中間レバー２２の他方の端部に枢着されており、先端部の設定ピン２３がコントロールレバー１６のガイドスロット１５に移動可能に挿入されており、施錠位置において、設定ピン２３が施錠レバー１３の中間部の受動肩部２４に係合しない位置に退避している一方、解錠位置において、設定ピン２３が受動肩部２４に係合する位置に来る切換え設定部材２５とからなる。
【００１７】
メインロック装置Ｂとサブロック装置Ｃは、内部錠機構としてピンタンブラ型錠機構またはディスクタンブラ型錠機構を使用したシリンダ錠で構成されており、鍵は両方に兼用できるように設定されている。
望ましくは、メインロック装置Ｂの回転内筒１７とサブロック装置Ｃの回転内筒２７が施錠位置にあるとき、施錠レバー１３の受動肩部２４がコントロールレバー１６のガイドスロット１５の基端側に重なるように、施錠レバー１３を姿勢制御するバネが設けられる。この姿勢制御用バネは、本体ケース３の背面壁部１０に固定した枢軸１１にコイル部を嵌められる捻りコイルバネ（図示していない）であり、その一端部は背面壁部１０のバネ受け突起（図示していない）に当接し、他端部は施錠レバー１３のバネ受孔（図示していない）に挿入される。
【００１８】
また、望ましくは、メインロック装置Ｂの回転内筒１７とサブロック装置Ｃの回転内筒２７が施錠位置にあるとき、切換え設定部材２５の設定ピン２３が施錠レバー１３の受動肩部２４に係合しない退避位置にあるように、切換え設定部材２５を姿勢制御するバネが設けられる。この姿勢制御用バネは捻りコイルバネ（図示していない）であり、一端部は切換え設定部材２５の先端部の透孔（図示していない）に挿入され、他端部はコントロールレバー１６の透孔（図示していない）に挿入される。
【００１９】
図示した実施例では、本体ケース３は扉１の正面開口部２に埋め込み固着され、正面縁部３７が扉１の正面に当接している。本体ケース３を跨ぐ座金板（図示していない）を扉１の背面に突き当て、該座金板の透孔を通してビス（図示していない）を背面壁部１０の隅部に形成した螺子孔３６にねじ込むことによって、本体ケース３は扉１に締付け固着される。操作ハンドル９の左右一対の脚部６,７は正面鍔部３７の透孔３８から本体ケース３の背面側に突出しており、一方の脚部６には、背面視Ｌ字状の駆動アーム部１４がビス３５によって締付け固着されている。左右一対の枢軸８は、本体ケース３の側面壁部３９とこれに平行な軸受起立部４０に挿入固定されており、枢軸８には操作ハンドル９を復帰回転させるための捻りコイルバネ４１が嵌められている。捻りコイルバネの一端部は操作ハンドル９の脚部６，７に当接し、他端部は本体ケース３の背面壁部１０のバネ受け突起４２に当接している。
【００２０】
施錠レバー１３の上下各端部の透孔４３には、扉１の背面に固着されたラッチ装置５１の操作ロッド４６が、コネクタ用アダプタ１２を介して連結される。コントロールレバー１６の枢軸は施錠レバー１３の枢軸１１と同じである。コントロールレバー６の先端部には背面視アングル型の受動板部４４が形成され、受動板部４４の透孔４５に操作ハンドル９の駆動アーム部１４の先端部が挿入されている。ガイドスロット１５はコントロールレバー１６の長さ方向に形成されている。
【００２１】
メインロック装置Ｂの固定外筒１９とサブロック装置Ｃの固定外筒２９は、扉１に固着されている。回転内筒１７の先端部にはメインカム板１８が一定の遊び間隔を残して嵌め合わされ、ナットと座金によって締付け固着されている。回転内筒２７の先端部にはサブカム板２８が一定の遊び間隔を残して嵌め合わされ、ナットと座金によって締付け固着されている。リンク部材２１の一端部は枢軸４７によってメインカム板１８の先端部に枢着され、他端部は枢軸４８によって中間レバー２２の一端部に枢着されている。中間レバー２２の枢軸２０は、本体ケース３の背面壁部１０に挿入固定されている。
【００２２】
切換え設定部材２５の基端部は枢軸４９によって中間レバー２２の他方の端部に枢着されており、先端部には設定ピン２３が挿入固定されている。切換え設定部材２５の斜め上向きの屈曲部には、第三の施錠ロッドの連結孔５０が形成されている。
メインカム板１８の側面中間部には、バネ受け突起５３が形成されている。サブカム板２８の側面中間部の受動部３４と、前記バネ受け突起５３には、中央に環曲部を形成した捻りコイルバネ５２の両末端部が回転可能に嵌められている。
【００２３】
図３の（ａ）に示したようにメインロック装置Ｂとサブロック装置Ｃがともに施錠位置にあるときには、前記受動部３４は前記バネ受け突起５３の中心点と回転内筒２７の中心点を結ぶ直線の上側にあり、サブカム板２８を図３において反時計回りに回転付勢している。そのため、サブカム板２８の制止部３３は捻りコイルバネ５２の回転付勢によってメインカム板１８の第２角部３１に当接した位置に保持される。
【００２４】
図３の（ｂ）に示したようにサブロック装置Ｃを解錠操作したときには、サブカム板２８の回転途中において、前記受動部３４が前記バネ受け突起５３の中心点と回転内筒２７の中心点を結ぶ直線を下側に越えるため、捻りコイルバネ５２の回転付勢の方向が反転し、サブカム板２８の停止部３２はメインカム板１８の第１角部３０に当接した位置に保持される。
【００２５】
図３の（ｃ）に示したようにメインロック装置Ｂを解錠操作したときには、メインカム板１８の回転途中において、前記受動部３４が前記バネ受け突起５３の中心点と回転内筒２７の中心点を結ぶ直線を上側に若干越えるため、捻りコイルバネ５２の回転付勢の方向が再度反転する。メインロック装置Ｂの回転内筒１７から鍵を抜取ると、サブカム板２８は反時計回り方向に若干回転し、制止部３３が第２角部３１より先端側の面部５４に当接する。
【００２６】
図３の（ｄ）に示したようにメインロック装置Ｂを施錠操作したときには、前記受動部３４は前記バネ受け突起５３の中心点と回転内筒２７の中心点を結ぶ直線の更に上側に移動し、サブカム板２８の制止部３３は捻りコイルバネ５２の回転付勢によってメインカム板１８の第２角部３１に当接した位置に保持される。
このように捻りコイルバネ５２は、サブカム板２８とメインカム板１８の間において所謂デッドポイントバネとして作動するものであり、この回転付勢の方向が可逆的に反転することによって、サブカム板２８は所要位置により的確に安定に保持される。
【図面の簡単な説明】
【００２７】
【図１】本発明の一実施例に係るダブルロック機構付き扉用ロックハンドル装置の施錠状態における正面図である。
【図２】図１のダブルロック機構付き扉用ロックハンドル装置の背面図である。
【図３】図１のダブルロック機構付き扉用ロックハンドル装置に併設したメインロック装置とサブロック装置の背面図であり、（ａ）はメインロック装置とサブロック装置がともに施錠位置にあるときを示し、（ｂ）はメインロック装置が施錠位置にある状態でサブロック装置を解錠操作したときを示し、（ｃ）はメインロック装置を解錠操作してサブロック装置を施錠位置手前まで蹴飛ばし回転させたときを示し、（ｄ）はメインロック装置を施錠操作してサブロック装置を施錠位置に完全に戻したときを示している。
【符号の説明】
【００２８】
Ａ  引き出し回転操作型の扉用ロックハンドル装置
Ｂ  メインロック装置
Ｃ  サブロック装置
１  扉
３  本体ケース
５  正面凹部
８  枢軸
９  操作ハンドル
１３  施錠部材
１６  コントロールレバー
１７  メインロック装置の回転内筒
１８  メインカム板
１９  メインロック装置の固定外筒
２０  枢軸
２１  リンク部材
２２  中間レバー
２５  切換え設定部材
２７  サブロック装置の回転内筒
２８  サブカム板
２９  サブロック装置の固定外筒
３０  メインカム板の第１角部
３１  メインカム板の第２角部
３２  サブカム板の停止部
３３  サブカム板の制止部
３４  サブカム板の受動部
５２  デッドポイントバネとしての捻りコイルバネ
５６  固定枠体
【図１】
2006045924.tif 000003
【図２】
2006045924.tif 000004
【図３】
2006045924.tif 000005